(57)【要約】【課題】  遠隔操作により機器の起動制御を行う場合に、本発明の構成を有さない場合と比較して、機器の待機状態における消費電力を抑える。【解決手段】  電力制御サーバ１は、画像形成装置２に対して起動指示を行う場合に、一旦リモートスイッチ３に対して画像形成装置２に対する電力の供給を停止するよう指示する。次に、電力制御サーバ１は、リモートスイッチ３に対して電力の供給を開始するよう指示するとともに、画像形成装置２に対して起動指示を送信する。画像形成装置２は、電力の供給が停止された状態から電力の供給が開始された場合に、起動指示の受け付けを開始する。画像形成装置２は、予め定められた期間内に起動指示が受け付けられた場合には、起動処理を開始し、予め定められた期間内に起動指示が受け付けられなかった場合には、待機状態に移行する。【選択図】図１
2015014941.tif 000002
【特許請求の範囲】
【請求項１】
他の機器と通信を行う通信手段と、
自機において電力の供給が停止されている状態から電力の供給が開始された場合に、前記通信手段を介して、自機を起動させるための指示である起動指示を受け付ける受付手段と、
予め定められた期間内に、前記受付手段により起動指示が受け付けられたか否かを判定する判定手段と、
予め定められた期間内に起動指示が受け付けられたと前記判定手段により判定された場合には、前記受付手段により受け付けられた起動指示に基づいて自機を起動させるように制御し、予め定められた期間内に起動指示が受け付けられなかったと前記判定手段により判定された場合には、自機を起動させないように制御する制御手段と、
を有する起動制御装置。
【請求項２】
前記制御手段は、自機に設置されたスイッチが押下された際に自機が起動していない場合には、自機を起動させるよう制御する請求項１記載の起動制御装置。
【請求項３】
前記スイッチは、自動復帰型である請求項２記載の起動制御装置。
【請求項４】
他の機器と通信を行う通信手段と、
前記通信手段を介して、電源装置から供給される電力を用いて動作する機器に対して、当該機器を起動させるための指示である起動指示を行う起動指示手段と、
前記起動指示手段により起動指示を行う場合に、前記通信手段を介して、前記電源装置に対して前記機器に対する電力の供給を一旦停止させてから電力の供給を開始するよう指示する電力供給指示手段と、
を有する電力制御装置。
【請求項５】
前記電源装置から電力を供給されている機器を特定するための特定手段をさらに有し、
前記起動指示手段は、前記特定手段により特定された機器に対して前記通信手段を介して起動指示を行う請求項４記載の電力制御装置。
【請求項６】
機器に対して電力を供給する電源装置と、
前記電源装置から供給される電力を用いて動作する機器に対して、当該機器を起動させるための指示である起動指示をネットワークを介して行う起動指示手段と、前記指示手段により起動指示を行う場合に、ネットワークを介して、前記電源装置に対して前記機器に対する電力の供給を一旦停止させてから電力の供給を開始するよう指示する電力供給指示手段とを有する電力制御装置と、
前記電源装置により、自機に対する電力の供給が停止されている状態から電力の供給が開始された場合に、ネットワークを介して、前記起動指示手段により指示された起動指示を受け付ける受付手段と、予め定められた期間内に前記受付手段により起動指示が受け付けられたか否かを判定する判定手段と、予め定められた期間内に起動指示が受け付けられたと前記判定手段により判定された場合には、前記受付手段により受け付けられた起動指示に基づいて自機を起動させるように制御し、予め定められた期間内に起動指示が受け付けられなかったと前記判定手段により判定された場合には、自機を起動させないように制御する制御手段とを有する機器と、
がネットワーク上で接続された電力制御システム。
【請求項７】
電源装置から供給される電力を用いて動作する機器に対して、当該機器を起動させるための指示である起動指示をネットワークを介して行うステップと、
起動指示を行う場合に、ネットワークを介して、前記電源装置に対して前記機器に対する電力の供給を一旦停止させてから電力の供給を開始するよう指示するステップと、
前記電源装置により、自機に対する電力の供給が停止されている状態から電力の供給が開始された場合に、ネットワークを介して、前記起動指示を受け付けるステップと、
予め定められた期間内に起動指示が受け付けられたか否かを判定するステップと、
予め定められた期間内に起動指示が受け付けられたと判定された場合には、受け付けられた起動指示に基づいて自機を起動させるように制御し、予め定められた期間内に前記起動指示が受け付けられなかったと判定された場合には、自機の起動を行わないように制御するステップと、
をコンピュータに実行させるプログラム。
【発明の詳細な説明】
【技術分野】
【０００１】
本発明は、起動制御装置、電力制御装置、電力制御システム及びプログラムに関する。
【背景技術】
【０００２】
特許文献１には、遠隔地から、複数のコンセントの通電状態を確認したり、通電をオン・オフ制御することが可能なコンセント装置及び電力制御システムが開示されている。
【０００３】
特許文献２には、ネットワークを介して遠隔地からの操作を受け付けて、電気機器の起動及び停止を行うことが可能なネットワーク機能を有する起動停止制御装置が開示されている。
【０００４】
特許文献３には、複数の家電機器を順次起動させることで、同時起動を防止する家庭自動化システムの起動制御装置及びその制御方法が開示されている。
【０００５】
特許文献４には、各コンセント毎に、機器の起動時の電流量を測定して、その起動時の電流データから、各コンセントに接続されている電気機器を検出する電力供給装置、電力制御システムが開示されている。
【先行技術文献】
【特許文献】
【０００６】
【特許文献１】特開２００２−０４４８８２号公報
【特許文献２】特開平１０−０２７０４３号公報
【特許文献３】特開２００３−１６３９７６号公報
【特許文献４】特開２００８−３０６８０９号公報
【発明の開示】
【発明が解決しようとする課題】
【０００７】
本発明の目的は、遠隔操作により機器の起動制御を行う場合に、本発明の構成を有さない場合と比較して、機器の待機状態における消費電力を抑えることが可能な起動制御装置、電力制御装置、電力制御システム及びプログラムを提供することである。
【課題を解決するための手段】
【０００８】
請求項１に係る本発明は、他の機器と通信を行う通信手段と、
自機において電力の供給が停止されている状態から電力の供給が開始された場合に、前記通信手段を介して、自機を起動させるための指示である起動指示を受け付ける受付手段と、
予め定められた期間内に、前記受付手段により起動指示が受け付けられたか否かを判定する判定手段と、
予め定められた期間内に起動指示が受け付けられたと前記判定手段により判定された場合には、前記受付手段により受け付けられた起動指示に基づいて自機を起動させるように制御し、予め定められた期間内に起動指示が受け付けられなかったと前記判定手段により判定された場合には、自機を起動させないように制御する制御手段と、
を有する起動制御装置である。
【０００９】
請求項２に係る本発明は、前記制御手段が、自機に設置されたスイッチが押下された際に自機が起動していない場合には、自機を起動させるよう制御する請求項１記載の起動制御装置である。
【００１０】
請求項３に係る本発明は、前記スイッチが、自動復帰型である請求項２記載の起動制御装置である。
【００１１】
請求項４に係る本発明は、他の機器と通信を行う通信手段と、
前記通信手段を介して、電源装置から供給される電力を用いて動作する機器に対して、当該機器を起動させるための指示である起動指示を行う起動指示手段と、
前記起動指示手段により起動指示を行う場合に、前記通信手段を介して、前記電源装置に対して前記機器に対する電力の供給を一旦停止させてから電力の供給を開始するよう指示する電力供給指示手段と、
を有する電力制御装置である。
【００１２】
請求項５に係る本発明は、前記電源装置から電力を供給されている機器を特定するための特定手段をさらに有し、
前記起動指示手段は、前記特定手段により特定された機器に対して前記通信手段を介して起動指示を行う請求項４記載の電力制御装置である。
【００１３】
請求項６に係る本発明は、機器に対して電力を供給する電源装置と、
前記電源装置から供給される電力を用いて動作する機器に対して、当該機器を起動させるための指示である起動指示をネットワークを介して行う起動指示手段と、前記指示手段により起動指示を行う場合に、ネットワークを介して、前記電源装置に対して前記機器に対する電力の供給を一旦停止させてから電力の供給を開始するよう指示する電力供給指示手段とを有する電力制御装置と、
前記電源装置により、自機に対する電力の供給が停止されている状態から電力の供給が開始された場合に、ネットワークを介して、前記起動指示手段により指示された起動指示を受け付ける受付手段と、予め定められた期間内に前記受付手段により起動指示が受け付けられたか否かを判定する判定手段と、予め定められた期間内に起動指示が受け付けられたと前記判定手段により判定された場合には、前記受付手段により受け付けられた起動指示に基づいて自機を起動させるように制御し、予め定められた期間内に起動指示が受け付けられなかったと前記判定手段により判定された場合には、自機を起動させないように制御する制御手段とを有する機器と、
がネットワーク上で接続された電力制御システムである。
【００１４】
請求項７に係る本発明は、電源装置から供給される電力を用いて動作する機器に対して、当該機器を起動させるための指示である起動指示をネットワークを介して行うステップと、
起動指示を行う場合に、ネットワークを介して、前記電源装置に対して前記機器に対する電力の供給を一旦停止させてから電力の供給を開始するよう指示するステップと、
前記電源装置により、自機に対する電力の供給が停止されている状態から電力の供給が開始された場合に、ネットワークを介して、前記起動指示を受け付けるステップと、
予め定められた期間内に起動指示が受け付けられたか否かを判定するステップと、
予め定められた期間内に起動指示が受け付けられたと判定された場合には、受け付けられた起動指示に基づいて自機を起動させるように制御し、予め定められた期間内に前記起動指示が受け付けられなかったと判定された場合には、自機の起動を行わないように制御するステップと、
をコンピュータに実行させるプログラムである。
【発明の効果】
【００１５】
請求項１に係る本発明によれば、遠隔操作により機器の起動制御を行う場合に、本発明の構成を有さない場合と比較して、機器の待機状態における消費電力を抑えることが可能な起動制御装置を提供することができる。
【００１６】
請求項２に係る本発明によれば、請求項１に係る発明の効果に加えて、機器を使用者の操作により直接起動させることが可能な起動制御装置を提供することができる。
【００１７】
請求項３に係る本発明によれば、請求項２に係る発明の効果に加えて、使用者による機器の起動状態の混乱を防ぐことが可能な起動制御装置を提供することができる。
【００１８】
請求項４に係る本発明によれば、遠隔操作により機器の起動制御を行う場合に、本発明の構成を有さない場合と比較して、機器の待機状態における消費電力を抑えることが可能な電力制御装置を提供することができる。
【００１９】
請求項５に係る本発明によれば、請求項４に係る発明の効果に加えて、電源装置に接続されている機器が複数であっても、遠隔操作により機器の起動制御を行う場合に、本発明の構成を有さない場合と比較して、機器の待機状態における消費電力を抑えることが可能な電力制御装置を提供することができる。
【００２０】
請求項６に係る本発明によれば、遠隔操作により機器の起動制御を行う場合に、本発明の構成を有さない場合と比較して、機器の待機状態における消費電力を抑えることが可能な電力制御システムを提供することができる。
【００２１】
請求項７に係る本発明によれば、遠隔操作により機器の起動制御を行う場合に、本発明の構成を有さない場合と比較して、機器の待機状態における消費電力を抑えることが可能なプログラムを提供することができる。
【図面の簡単な説明】
【００２２】
【図１】本発明の一実施形態の電力制御システムを示す図である。
【図２】本発明の一実施形態における電力制御サーバ１のハードウェア構成を示すブロック図である。
【図３】本発明の一実施形態における電力制御サーバ１の機能構成を示すブロック図である。
【図４】本発明の一実施形態における画像形成装置２のハードウェア構成を示すブロック図である。
【図５】本発明の一実施形態における画像形成装置２の機能構成を示すブロック図である。
【図６】本発明の一実施形態におけるスイッチ２０５の形状の一例を示す図である。
【図７】本発明の一実施形態における電力制御システムの処理を示すフローチャートである。
【図８】本発明の一実施形態におけるスイッチ２０５が押下された場合の処理を示すフローチャートである。
【発明を実施するための最良の形態】
【００２３】
次に、本発明の実施の形態について図面を参照して詳細に説明する。
【００２４】
図１は、本発明の一実施形態の電力制御システムを示す図である。
【００２５】
図１に示されるように、本実施形態における電力制御システムは、電力制御サーバ１と、画像形成装置２と、画像形成装置２に対する電力の供給を制御するリモートスイッチ３がそれぞれネットワーク４０を介して相互に接続されている。
【００２６】
電力制御サーバ１は、画像形成装置２に対して、画像形成装置２を起動させるための指示である起動指示や、リモートスイッチ３に対して電力の供給の開始（リモートオン）、電力の供給の停止（リモートオフ）の指示をネットワーク４０を介して行う。なお、電力制御サーバ１は、画像形成装置２に対して起動指示を行う場合には、ネットワーク４０を介して、リモートスイッチ３に対して一旦リモートオフを指示してからリモートオンを指示する。
【００２７】
画像形成装置２は、リモートスイッチ３から供給される電力を用いて動作しており、電力制御サーバ１から起動指示を受け付けた場合には、この起動指示に基づいて、自機の機能を動作させるためのアプリケーション等を使用可能な状態にすることにより起動する。
【００２８】
リモートスイッチ３は、電力制御サーバ１からのリモートオンまたはリモートオフの指示に基づいて、画像形成装置２に対する電力の供給または停止を制御する。
【００２９】
次に、本実施形態における電力制御サーバ１のハードウェア構成について図２を参照して説明する。
【００３０】
電力制御サーバ１は、図２に示されるように、ＣＰＵ１１、メモリ１２、ハードディスクドライブ（ＨＤＤ）等の記憶装置１３、ネットワーク４０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００３１】
ＣＰＵ１１は、メモリ１２または記憶装置１３に格納された制御プログラムに基づいて所定の処理を実行して、電力制御サーバ１の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３２】
図３は、上記の制御プログラムが実行されることにより実現される電力制御サーバ１の機能構成を示すブロック図である。
【００３３】
電力制御サーバ１は、図３に示すように、タッチパネルやキーボード等によりユーザの操作を受け付ける操作部１０１と、他の機器と通信を行う通信部１０２と、起動指示部１０３と、電力供給指示部１０４により構成される。
【００３４】
起動指示部１０３は、ネットワーク４０により接続されている画像形成装置２に対して、画像形成装置２を起動させるための指示である起動指示を通信部１０２を介して送信する。また、起動指示部１０３は、通信部１０２により画像形成装置２から起動指示を受け付けた旨を通知された場合には、起動指示の送信を終了する。
【００３５】
また、起動指示部１０３は、起動指示として、機器の遠隔操作に一般的に用いられるマジックパケットと呼ばれるコマンドを画像形成装置２に対して送信するようにしてもよい。
【００３６】
電力供給指示部１０４は、起動指示部１０２により起動指示を行う場合に、通信部１０２を介してネットワーク４０により接続されているリモートスイッチ３に対して一旦リモートオフを指示してからリモートオンを指示する。
【００３７】
次に、本実施形態における画像形成装置２のハードウェア構成について図４を参照して説明する。
【００３８】
画像形成装置２は、図４に示されるように、ＣＰＵ２１、メモリ２２、ハードディスクドライブ（ＨＤＤ）等の記憶装置２３、ネットワーク４０を介して外部の装置等との間でデータの送信及び受信を行う通信インタフェース（ＩＦ）２４、タッチパネル又は液晶ディスプレイを含むユーザインタフェース（ＵＩ）装置２５、スキャナ２６、プリンタ２７を有する。これらの構成要素は、制御バス２８を介して互いに接続されている。
【００３９】
ＣＰＵ２１は、メモリ２２または記憶装置２３に格納された制御プログラムに基づいて所定の処理を実行して、画像形成装置２の動作を制御する。なお、本実施形態では、ＣＰＵ２１は、メモリ２２または記憶装置２３内に格納された制御プログラムを読み出して実行するものとして説明したが、当該プログラムをＣＤ−ＲＯＭ等の記憶媒体に格納してＣＰＵ２１に提供することも可能である。
【００４０】
図５は、上記の制御プログラムが実行されることにより実現される画像形成装置２の機能構成を示すブロック図である。
【００４１】
本実施形態における画像形成装置２は、図５に示されるように、リモートスイッチ３から供給される電力を用いて動作しており、起動制御部２００とスイッチ２０５とを有する。そして、起動制御部２００は、通信部２０１と、起動指示受付部２０２と、判定部２０３と、制御部２０４により構成される。また、制御部２０４は、リモートスイッチ３から電力が供給されたことを検知する機能を有している。
【００４２】
通信部２０１は、ネットワーク４０を介して他の機器と通信を行う。
【００４３】
起動指示受付部２０２は、自機である画像形成装置２においてリモートスイッチ３からの電力の供給が停止されている状態から電力の供給が開始された場合に、通信部２０１を介して、電力制御サーバ１からの起動指示の受け付けを開始する。また、起動指示受付部２０２により電力制御サーバ１からの起動指示が受け付けられた場合、通信部２０１は、起動指示を受け付けた旨をネットワーク４０を介して電力制御サーバ１に対して通知する。
【００４４】
また、起動指示受付部２０２は、起動指示の受け付けを開始する際に、通信部２０１が受信する情報のうち、起動指示に関する限定された情報のみを受け付けるよう設定されてもよい。例えば、通信部２０１が受信した情報のうち、電力制御サーバ１から送信されたマジックパケットのみを受け付けるようにしてもよい。
【００４５】
判定部２０３は、予め定められた期間内に、起動指示受付部２０２により起動指示が受け付けられたか否かを判定する。
【００４６】
具体的には、起動指示受付部２０２により起動指示の受け付けが開始されてから一定時間が経過するまでの間に起動指示受付部２０２により起動指示が受け付けられた場合、判定部２０３は、起動指示が受け付けられた旨を制御部２０４に通知する。さらに、起動指示受付部２０２により起動指示の受け付けが開始されてから一定時間が経過するまでの間に起動指示受付部２０２により起動指示が受け付けられなかった場合には、判定部２０３は起動指示が受け付けられなかった旨を制御部２０４に通知する。なお、本実施形態における判定部２０３では、起動指示受付部２０２が起動指示の受け付けを開始してから一定時間が経過するまでの時間を計測する方法として、タイマ等の時計装置を用いるものとする。
【００４７】
制御部２０４は、リモートスイッチ３により電力の供給が停止されている状態から電力の供給が開始された場合に、起動指示受付部２０２に対して電力制御サーバ１からの起動指示の受け付けを開始させる。そして、制御部２０４は、起動指示受付部２０２により起動指示の受け付けが開始されてから一定時間が経過するまでの間に起動指示受付部２０２により起動指示が受け付けられたと判定部２０３により判定された場合には、受け付けられた起動指示に基づいて画像形成装置２を起動させるように制御する。また、制御部２０４は、起動指示受付部２０２により起動指示の受け付けが開始されてから一定時間が経過するまでの間に起動指示受付部２０２により起動指示が受け付けられなかったと判定部２０３により判定された場合には、画像形成装置２を起動させずに、待機状態へと移行するように制御する。
【００４８】
なお、本実施形態における待機状態とは、画像形成装置２の各構成部品の電源がオフされた状態であり、画像形成装置２が他の機器と通信を行うことができず、電力制御サーバ１からの起動指示を受け付けることができない状態である。一方、遠隔操作により対象の機器を起動させる場合には、起動指示をいつでも受信できるように、対象の機器を他の機器と通信を行えるようにして、起動指示が送信されてくるかどうかを監視している状態にする必要がある。しかし、本実施形態の画像形成装置２は、起動指示を受け付けることができない待機状態となっていることにより、他の機器から起動指示が送信されてくるかどうかを監視している状態と比較して、他の機器と通信を行うために必要な電力の消費を削減することができる。
【００４９】
また、画像形成装置２に設置されたスイッチ２０５が押下された際に、リモートスイッチ３から画像形成装置２に対して電力が供給されており、かつ、画像形成装置２が待機状態である場合には、制御部２０４は、画像形成装置２を起動するように制御する。さらに、スイッチ２０５が押下された際に、リモートスイッチ３から画像形成装置２に対して電力が供給されており、かつ、画像形成装置２が起動している場合には、制御部２０４は、画像形成装置２の各部品の電源をオフにして、待機状態に移行する。
【００５０】
また、スイッチ２０５は、図６（Ａ）に示すような、スイッチの状態からオン・オフを判断できない押しボタンスイッチ等の自動復帰型スイッチが好ましい。しかし、スイッチ２０５は、図６（Ｂ）に示すようなシーソースイッチや図６（Ｃ）に示すようなオン・オフによってスイッチの状態が変化する押しボタンスイッチのように、位置保存型スイッチ等のようにスイッチの状態からオン・オフを判断できるものでも同様に適用可能であり、スイッチ２０５の形態は限定されるものではない。
【００５１】
次に、本実施形態の電力制御システムにおける処理について、図７に示すフローチャートを参照して詳細に説明する。
【００５２】
まず、電力制御サーバ１では、ユーザにより操作部１０１が操作されることにより、画像形成装置２に対する起動指示を行う旨の操作を受け付ける（ステップＳ１０１）。
【００５３】
次に、操作部１０１において画像形成装置２に対する起動指示を行う旨の操作を受け付けると、電力供給指示部１０４は、通信部１０２を介してリモートスイッチ３に対してリモートオフの指示を送信する（ステップＳ１０２）。この指示により、リモートスイッチ３は、一旦画像形成装置２に対する電力の供給を停止する。
【００５４】
そして、リモートスイッチ３に対してリモートオフの指示を送信した後に、電力供給指示部１０４は、通信部１０２を介してリモートスイッチ３に対してリモートオンの指示を送信する（ステップＳ１０３）。また、この時、起動指示部１０３は、通信部１０２を介して画像形成装置２に対して起動指示を送信する（ステップＳ１０４）。なお、起動指示部１０３は、画像形成装置２から起動指示を受け付けた旨を通知されるまで起動指示を送信し続ける。
【００５５】
そして、リモートスイッチ３は、電力制御サーバ１からのリモートオンの指示に従って、画像形成装置２に対して電力の供給を開始する。そして、画像形成装置２に対して電力が供給されると、制御部２０４は、起動指示受付部２０２に対して起動指示の受け付けを開始させる（ステップＳ１０５）。
【００５６】
次に、判定部２０３は、起動指示受付部２０２が起動指示の受け付けを開始してから一定時間が経過するまでの間に起動指示を受け付けたか否かを判定する（ステップＳ１０６）。
【００５７】
そして、ステップＳ１０６において、起動指示受付部２０２により起動指示の受け付けを開始してから一定時間が経過するまでの間に起動指示受付部２０２により起動指示が受け付けられたと判定部２０３により判定された場合、制御部２０４は、画像形成装置２の起動処理を行う（ステップＳ１０７）。また、通信部２０１は、起動指示の受け付けを開始してから一定時間が経過するまでの間に起動指示受付部２０２により起動指示が受け付けられた場合には、電力制御サーバ１に対して起動指示を受け付けた旨を通知する（ステップＳ１０８）。そして、この通知により、電力制御サーバ１は、画像形成装置２に対する起動指示の送信を停止する（ステップＳ１０９）。
【００５８】
また、ステップＳ１０６において、起動指示受付部２０２により起動指示の受け付けを開始してから一定時間が経過するまでの間に起動指示部２０２により起動指示が受け付けられなかったと判定部２０３により判定された場合には、制御部２０４は、画像形成装置２を待機状態に移行させる（ステップＳ１１０）。
【００５９】
次に、スイッチ２０５が押下された場合の画像形成装置２の動作を、図８のフローチャートを参照して詳細に説明する。
【００６０】
まず、ユーザにより画像形成装置２に設置されているスイッチ２０５が押下される（ステップＳ２０１）。
【００６１】
次に、制御部２０４は、画像形成装置２が現在待機状態である場合には（ステップＳ２０２においてｙｅｓ）、画像形成装置２の起動処理を開始する（ステップＳ２０３）。
【００６２】
また、制御部２０４は、画像形成装置２が現在起動中である場合には（ステップＳ２０２においてｎｏ）、画像形成装置２を待機状態に移行するよう制御する（ステップＳ２０４）。
【００６３】
なお、本実施形態においては、電力制御システムにおける機器として画像形成装置を例として説明したが、本発明においては、電力の供給により起動する及びネットワークを介して情報の送受信が可能な機器であれば、画像形成装置に限定されるものではない。
【００６４】
また、本実施形態においては、電力制御システムにおける機器として１つの画像形成装置を例として説明したが、本発明の電力制御システムにおいては、ネットワーク４０により複数の機器が接続されてもよい。この場合、電力制御サーバ１は、例えば、ＩＰアドレスや各機器固有の識別情報等に基づいてリモートスイッチ３により電力が供給されている機器を特定するための特定手段をさらに有し、起動指示部１０３は、特定された機器毎に起動指示を行うようにしてもよい。
【００６５】
また、本実施形態においては、リモートスイッチ３に１つの画像形成装置２が接続されているものとして説明したが、複数の機器に対して電力を供給することができる電源装置であれば、複数の機器が接続されてもよい。
【符号の説明】
【００６６】
１    電力制御サーバ
２    画像形成装置
３    リモートスイッチ
１１、２１    ＣＰＵ
１２、２２    メモリ
１３、２３    記憶装置
１４、２４    通信ＩＦ
１５、２５    ＵＩ装置
２６    スキャナ
２７    プリントエンジン
１６、２８    制御バス
４０    ネットワーク
１０１    操作部
１０２、２０１    通信部
１０３    起動指示部
１０４    電力供給指示部
２０２    起動指示受付部
２０３    判定部
２０４    制御部
２０５    スイッチ
【図１】
2015014941.tif 000003
【図２】
2015014941.tif 000004
【図３】
2015014941.tif 000005
【図４】
2015014941.tif 000006
【図５】
2015014941.tif 000007
【図６】
2015014941.tif 000008
【図７】
2015014941.tif 000009
【図８】
2015014941.tif 000010